(57)【特許請求の範囲】
【請求項１】
１つまたは複数のセル固有参照信号（ＣＲＳ）サブフレームの送信を管理するためのネットワークノード（１１０）によって実行される方法であって、前記ネットワークノード（１１０）は１つまたは複数のセル（１３０、１３１、１３２）を操作し、前記方法は、
前記１つまたは複数のセルの中のセルが、ユーザ機器（ＵＥ）のセット（１２１）をアクティブにサービングしているかどうかを識別すること（３０１）と、
前記セルがＵＥのセット（１２１）をアクティブにサービングしていない場合、
ページングオケージョン中に送信される１つまたは複数のＣＲＳサブフレームで、および／またはシステム情報が送信される１つまたは複数のＣＲＳサブフレームで、第１の帯域幅を介してＣＲＳを送信すること（３０２）と、
ページングオケージョン中に送信されない１つまたは複数のＣＲＳサブフレームで、および／またはシステム情報が送信されるサブフレーム以外の１つまたは複数のＣＲＳサブフレームで、第２の帯域幅を介してＣＲＳを送信すること（３０３）であって、前記第２の帯域幅は前記第１の帯域幅に関連して低減される、ＣＲＳを送信することと、
前記セルがＵＥのセット（１２１）をアクティブにサービングしており、前記ＵＥのセット（１２１）が間欠受信（ＤＲＸ）用に構成されている場合、
ＤＲＸパターンのオンデュレーション期間中に前記セルで送信される１つまたは複数のＣＲＳサブフレームで、および／またはシステム情報が送信される前記１つまたは複数のＣＲＳサブフレームで、および／またはダウンリンク（ＤＬ）データが送信される１つまたは複数のＣＲＳサブフレームで、前記第１の帯域幅を介してＣＲＳを送信すること（３０４）と、
前記ＤＲＸの前記オンデュレーション期間中に前記セルで送信されないＣＲＳサブフレームで、および／またはシステム情報が送信されるＣＲＳサブフレーム以外の前記１つまたは複数のＣＲＳサブフレームで、および／またはダウンリンク（ＤＬ）データが送信されるＣＲＳサブフレーム以外の前記１つまたは複数のＣＲＳサブフレームで、前記第２の帯域幅を介してＣＲＳを送信すること（３０５）であって、前記第２の帯域幅は前記第１の帯域幅に関連して低減される、ＣＲＳを送信することと
を含む方法。
【請求項２】
前記セルがＵＥのセット（１２１）をアクティブにサービングしている場合、前記方法は、
ＤＲＸコマンドを備えるＵＥの前記セット（１２１）にメッセージを送信すること（３０６）をさらに含み、前記ＤＲＸコマンドはＵＥの前記セット（１２１）の前記ＤＲＸパターンを指示し、前記ＤＲＸパターンの前記オンデュレーションは、前記ＵＥ（１２０）がオーバーラップするオンデュレーション期間を有するようにＵＥの前記セット（１２１）に含まれる前記ＵＥ（１２０）に対してアライメントされる、請求項１に記載の方法。
【請求項３】
ＣＲＳは、ページングオケージョン中に送信される前記ＣＲＳサブフレーム、および／または、システム情報が送信されるおよび／またはオンデュレーション期間中の前記ＣＲＳサブフレーム、および／または、ＤＬデータが送信されるＣＲＳサブフレーム、の直前または直後に送信されるＣＲＳサブフレームで、前記第１の帯域幅を介してさらに送信される、請求項１または２に記載の方法。
【請求項４】
前記ページングオケージョンは、ＵＥのセット（１２１）をサービングしていない前記セルにおいて、ページングを有する各無線フレームの１つのＣＲＳサブフレームで送信されるのみである、請求項１から３のいずれか一項に記載の方法。
【請求項５】
前記ＤＲＸパターンの前記オンデュレーション期間は、システム情報を備える１つまたは複数のＣＲＳサブフレームの送信とアライメントされる、請求項１から４のいずれか一項に記載の方法。
【請求項６】
前記ＤＲＸパターンの前記オンデュレーションは、システム情報ブロック１（ＳＩＢ１）の前記送信とアライメントされる、請求項５に記載の方法。
【請求項７】
前記ＤＲＸパターンは、２０から３２０ｍｓの範囲のサイクルを有する、請求項１から６のいずれか一項に記載の方法。
【請求項８】
ＣＲＳは、前記ＤＲＸパターンの前記オンデュレーション期間中に送信される前記ＣＲＳサブフレーム、またはシステム情報が送信される前記サブフレームに先行および／または後続の１つまたは複数のＣＲＳサブフレームで、前記第１の帯域幅を介してさらに送信される、請求項１から７のいずれか一項に記載の方法。
【請求項９】
前記ＵＥ（１２０）の前記ＤＲＸパターンのアライメントは、セルごとの接続済みＵＥ（１２０）の数がしきい値を超える場合に非アクティブ化される、請求項１から８のいずれか一項に記載の方法。
【請求項１０】
ＤＬデータは、前記ネットワークノードからＵＥの前記セット（１２１）に周期的に送信される、請求項１から９のいずれか一項に記載の方法。
【請求項１１】
前記ＤＲＸパターンの非アクティビティタイマは、接続済みＵＥ（１２０）の数がしきい値を下回る場合に前記セルに接続しているＵＥ（１２０）が、前記セル内の接続済みＵＥ（１２０）の数がしきい値を超える場合の前記セルに接続しているＵＥ（１２０）よりも短い非アクティビティタイマを有するように、可変である、請求項１から１０のいずれか一項に記載の方法。
【請求項１２】
前記ＤＲＸパターンのアクティビティタイマの長さ、および／または前記ＤＲＸパターンの前記オンデュレーション期間の周期性、および／またはＤＬデータの周期性は、ＵＥ識別子に基づいて、ＵＥ（１２０）のさまざまなタイプに適合可能である、請求項１から１１のいずれか一項に記載の方法。
【請求項１３】
前記識別子は、国際移動体装置識別番号（ＩＭＥＩ）である、請求項１２に記載の方法。
【請求項１４】
前記第２の帯域幅は、６つの中央物理リソースブロック（ＰＲＢ）の帯域幅に低減される、請求項１から１３のいずれか一項に記載の方法。
【請求項１５】
セル参照信号（ＣＲＳ）の送信を管理するためのネットワークノード（１１０）であって、１つまたは複数のセルを操作するように構成されており、前記ネットワークノード（１１０）は、
セルがＵＥのセット（１２１）をアクティブにサービングしているかどうかを識別することと、
前記セルがＵＥのセット（１２１）をアクティブにサービングしていない場合、
ページングオケージョン中に送信される１つまたは複数のＣＲＳサブフレームで、および／またはシステム情報が送信されるＣＲＳサブフレームで、第１の帯域幅を介してＣＲＳを送信することと、
ページングオケージョン中に送信されない１つまたは複数のＣＲＳサブフレームで、および／またはシステム情報が送信されるＣＲＳサブフレーム以外のＣＲＳサブフレームで、第２の帯域幅を介してＣＲＳを送信することであって、前記第２の帯域幅は前記第１の帯域幅に関連して低減される、ＣＲＳを送信することと、
前記セルがＵＥのセット（１２１）をアクティブにサービングしており、前記ＵＥのセット（１２１）が間欠受信（ＤＲＸ）用に構成されている場合、
ＤＲＸパターンのオンデュレーション期間中に前記セルで送信される１つまたは複数のＣＲＳサブフレームで、および／またはシステム情報が送信されるＣＲＳサブフレームで、および／またはダウンリンク（ＤＬ）データが送信されるＣＲＳサブフレームで、前記第１の帯域幅を介してＣＲＳを送信することと、
前記ＤＲＸパターンの前記オンデュレーション期間中に前記セルで送信されないＣＲＳサブフレームで、および／またはシステム情報が送信されるＣＲＳサブフレーム以外のＣＲＳサブフレームで、および／またはダウンリンク（ＤＬ）データが送信されるＣＲＳサブフレーム以外のＣＲＳサブフレームで、前記第２の帯域幅を介してＣＲＳを送信することであって、前記第２の帯域幅は前記第１の帯域幅に関連して低減される、ＣＲＳを送信することと
を行うように構成される、ネットワークノード（１１０）。
【請求項１６】
前記ネットワークノード（１１０）は、
ＤＲＸコマンドを備えるＵＥの前記セット（１２１）にメッセージを送信するようにさらに構成され、前記コマンドはＵＥの前記セット（１２１）の前記ＤＲＸパターンを指示し、前記ＤＲＸパターンの前記オンデュレーション期間は、前記ＵＥ（１２０）がオーバーラップするオンデュレーション期間を有するようにＵＥの前記セット（１２１）に含まれる前記ＵＥ（１２０）に対してアライメントされる、請求項１５に記載のネットワークノード（１１０）。
【請求項１７】
前記ネットワークノード（１１０）は、ページングオケージョン中に送信される前記ＣＲＳサブフレーム、および／または、システム情報が送信されるおよび／またはオンデュレーション期間中の前記ＣＲＳサブフレーム、および／または、ダウンリンク（ＤＬ）データが送信されるＣＲＳサブフレーム、の直前または直後に送信されるＣＲＳサブフレームで、前記第１の帯域幅を介してＣＲＳを送信するようにさらに構成される、請求項１５または１６に記載のネットワークノード（１１０）。
【請求項１８】
前記ネットワークノード（１１０）は、ＵＥのセット（１２１）をサービングしていないセルにおいて、ページングを有する各無線フレームの１つのＣＲＳサブフレームのみでページングを送信するようにさらに構成される、請求項１５から１７のいずれか一項に記載のネットワークノード（１１０）。
【請求項１９】
前記ネットワークノード（１１０）は、前記第１の帯域幅モードを、前記ＤＲＸパターンの前記オンデュレーション期間中に送信される前記サブフレーム、またはシステム情報が送信される前記サブフレームに先行および／または後続の１つまたは複数のサブフレームにさらに適用するようにさらに構成される、請求項１５から１８のいずれか一項に記載のネットワークノード（１１０）。
【請求項２０】
前記ネットワークノード（１１０）は、セルごとの接続済みＵＥ（１２０）の数がしきい値を超える場合に前記ＵＥ（１２０）の前記ＤＲＸパターンのアライメントを非アクティブ化するようにさらに構成される、請求項１５から１９のいずれか一項に記載のネットワークノード（１１０）。
【請求項２１】
前記ネットワークノード（１１０）は、ＤＬデータを前記ＵＥ（１２０）に周期的に送信するようにさらに構成される、請求項１５から２０のいずれか一項に記載のネットワークノード（１１０）。
【請求項２２】
前記ネットワークノード（１１０）は、接続済みＵＥ（１２０）の数がしきい値を下回る場合に前記セルに接続しているＵＥ（１２０）が、前記セル内の接続済みＵＥ（１２０）の数がしきい値を超える場合の前記セルに接続しているＵＥ（１２０）よりも短い非アクティビティタイマを有するように、可変の非アクティビティタイマを伴うＤＲＸパターンを備えるメッセージを送信するようにさらに構成される、請求項１５から２１のいずれか一項に記載のネットワークノード（１１０）。
【請求項２３】
前記ネットワークノード（１１０）は、前記ＤＲＸパターンのアクティビティタイマの長さ、および／または前記ＤＲＸパターンの前記オンデュレーション期間の周期性、および／またはＤＬデータの周期性を、ＵＥ識別子に基づいて、ＵＥ（１２０）のさまざまなタイプに適合させるようにさらに構成される、請求項１５から２２のいずれか一項に記載のネットワークノード（１１０）。
【請求項２４】
前記識別子は、国際移動体装置識別番号（ＩＭＥＩ）である、請求項２３に記載のネットワークノード（１１０）。
【請求項２５】
前記ネットワークノード（１１０）は、前記第２の帯域幅を、６つの中央物理リソースブロック（ＰＲＢ）の帯域幅に低減するようにさらに構成される、請求項１５から２４のいずれか一項に記載のネットワークノード（１１０）。
【発明の詳細な説明】
【技術分野】
【０００１】
本明細書における実施形態は、ネットワークノードおよびネットワークノードにおける方法に関する。特に、セル参照信号の送信を管理するための方法およびネットワークノードが開示される。
【背景技術】
【０００２】
ユーザ機器（ＵＥ）のような通信デバイスは、場合によってはセルラー無線システムまたはセルラーネットワークとも称される、セルラー通信ネットワークまたは無線通信システムにおいて無線で通信できるようにされる。通信は、たとえば２つのＵＥ間、ＵＥと通常の電話の間、および／またはＵＥとサーバの間で、セルラー通信ネットワーク内に含まれる無線アクセスネットワーク（ＲＡＮ）および場合によっては１つまたは複数のコアネットワークを介して実行されてもよい。
【０００３】
ＵＥはさらに、一部のさらなる例をあげると、無線端末、モバイル端末および／または移動局、携帯電話、セルラー電話、ラップトップ、タブレットコンピュータ、または無線機能装備のサーフプレートと称されることがある。現在のコンテキストにおけるＵＥは、たとえば、ポータブルの、ポケット収納可能な、ハンドヘルドのコンピュータ内蔵の、または車両搭載のモバイルデバイスあってもよく、ＲＡＮを介して、音声および／またはデータを、別の無線端末もしくはサーバのような別のエンティティと通信できるようにされてもよい。
【０００４】
セルラー通信ネットワークは、セル領域に分割される地理的領域をカバーし、各セル領域は、ネットワークノードによってサービングされている。セルは、無線カバレッジがネットワークノードによって提供される地理的領域である。
【０００５】
ネットワークノードは、たとえば無線ユニット（ＲＲＵ）を有する、複数の送信ポイントをさらに制御することができる。したがって、セルは、各々１つまたは複数の送信／受信ポイントを制御する１つまたは複数のネットワークノードを備えることができる。送信／受信ポイントとも称される、送信ポイントは、無線信号を送信および／または受信するエンティティである。エンティティは、たとえばアンテナのように、空間内の位置を有する。ネットワークノードは、１つまたは複数の送信ポイントを制御するエンティティである。ネットワークノードは、たとえば、使用される技術および用語に応じて、無線基地局（ＲＢＳ）、ｅＮＢ、ｅＮｏｄｅＢ、ＮｏｄｅＢ、Ｂノード、またはベーストランシーバ基地局（ＢＴＳ）のような基地局であってもよい。基地局は、送信電力に基づいて、したがってセルサイズにも基づいて、たとえばマクロｅＮｏｄｅＢ、ホームｅＮｏｄｅＢ、またはピコ基地局のような異なるクラスであってもよい。
【０００６】
さらに、各ネットワークノードは、１つまたは複数の通信技術をサポートすることができる。ネットワークノードは、無線周波数で動作しているエアインターフェイスを介して、ネットワークノードの範囲内のＵＥと通信する。本開示のコンテキストにおいて、ダウンリンク（ＤＬ）という表現は、基地局から移動局への送信パスについて使用される。アップリンク（ＵＬ）という表現は、逆方向、つまりＵＥから基地局への送信パスについて使用される。
【０００７】
第３世代パートナーシッププロジェクト（３ＧＰＰ）のＬｏｎｇ  Ｔｅｒｍ  Ｅｖｏｌｕｔｉｏｎ（ＬＴＥ）において、ｅＮｏｄｅＢまたはｅＮＢとも称されることがある基地局は、１つまたは複数のコアネットワークに直接接続されてもよい。ＬＴＥにおいて、セルラー通信ネットワークはまた、拡張ユニバーサル地上無線アクセスネットワーク（Ｅ−ＵＴＲＡＮ）と称されてもよい。
【０００８】
Ｅ−ＵＴＲＡＮセルは、ｅＮＢからブロードキャストされる特定の信号によって規定される。これらの信号は、セルを通じてネットワークに接続するためにＵＥによって使用され得るセルに関する情報を含む。信号は、フレームタイミングおよび物理セル識別、ならびにセル全体に関連するパラメータを備えるシステム情報を見出すためにＵＥが使用する、参照および同期信号を備える。
【０００９】
ネットワークに接続する必要があるＵＥは、したがって、３ＧＰＰ  ＴＳ  ３６．３０４  ｖ１１．５．０において規定されるように、適切なセルを最初に検出する必要がある。ＵＥは、ＩＤＬＥもしくはＲａｄｉｏ  Ｒｅｓｏｕｒｃｅ  Ｃｏｎｔｒｏｌ  Ｉｄｌｅ（ＲＲＣ＿ＩＤＬＥ）とも称されるアイドル状態、または状態がＣＯＮＮＥＣＴＥＤもしくはＲａｄｉｏ  Ｒｅｓｏｕｒｃｅ  Ｃｏｎｔｒｏｌ  Ｃｏｎｎｅｃｔｅｄ（ＲＲＣ＿ＣＯＮＮＥＣＴＥＤ）とも称される接続状態のいずれかであってもよい。ＵＥがＲＲＣ＿ＩＤＬＥにある場合、ＵＥはページングチャネルを監視するが、このページングチャネルは論理レベルにおけるページング制御チャネル（ＰＣＣＨ）、トランスポートチャネルレベルのページングチャネル（ＰＣＨ）、および物理チャネルレベルの物理ダウンリンク共有チャネル（ＰＤＳＣＨ）の一部である。監視を行っている間、ＵＥは通常また、参照信号受信電力（ＲＳＲＰ）、参照シンボル受信品質（ＲＳＲＱ）、または受信信号強度インジケータ（ＲＳＳＩ）のような、最善のセルを評価するためにＵＥが使用するいくつかの無線測定を実行する。これは、受信参照信号および／またはセルによって送信された参照信号を備えるスペクトルの部分で測定することによって実行される。これはまた、適切なセルの「リスニング」と称されることもある。
【００１０】
適切なセルは、通例、特定のレベルを超えるＲＳＲＱまたはＲＳＲＰを有するセルである。最高ＲＳＲＰまたはＲＳＲＱを持つセルは、最善セルまたは最適セルと称されてもよい。最適セルをリッスンすることは、直交周波数分割多重（ＯＦＤＭ）サブフレームでネットワークノードから送信される参照信号を探すことを備えることができる。最適なセルが見つかると、ＵＥは、セルのシステム情報に従って、ランダムアクセスを実行する。ランダムアクセスは、無線リソース制御（ＲＲＣ）接続セットアップ要求をネットワークノードに送信するために行われる。ランダムアクセス手順が成功し、ネットワークノードが要求を受信すると仮定して、ネットワークノードは、ＵＥの要求に肯定応答して、ＵＥにＲＲＣ＿ＣＯＮＮＥＣＴＥＤ状態に移るよう伝えるＲＲＣ接続セットアップメッセージ、またはＵＥがセルに接続しないことをＵＥに伝えるＲＲＣ接続拒否のいずれかで応答する。ＲＲＣ＿ＣＯＮＮＥＣＴＥＤ状態において、ネットワークノードとＵＥの間の通信に必要なパラメータは、両エンティティに認識されており、２つのエンティティ間のデータ転送は可能にされる。
【００１１】
ＵＥがＲＲＣ＿ＣＯＮＮＥＣＴＥＤ状態にある場合、ＵＥは、たとえばあるセルから別のセルへのハンドオーバをいつ実行すべきかを決定することのような、接続済みモードモビリティ決定への入力として、引き続きＲＳＲＰを測定する。これらの測定は通常、サブフレームの全帯域幅において実行され、これは全スペクトルと称されてもよい。
【００１２】
ＲＳＲＰは、ＬＴＥセルの信号強度の測定であり、これはＵＥがハンドオーバおよびセル再選択の決定の入力としてそれらの信号強度に従ってさまざまなセルをランク付けするのを補助する。ＲＳＲＰは、全帯域幅にわたりセル固有参照信号（ＣＲＳ）を搬送するすべてのリソースエレメントの電力の平均である。したがって、ＲＳＲＰは、ＣＲＳを搬送するＯＦＤＭシンボルにおいてのみ測定される。
【００１３】
ＲＲＣプロトコルは、ＵＥとネットワークノードの間の、レイヤ３とも称されるネットワーク層の制御プレーンシグナリングを処理し、そのネットワークノードはＵＴＲＡＮまたはＥ−ＵＴＲＡＮノードと称されてもよい。常にどの時点においても、ＵＥとネットワークノードの間でＲＲＣ接続オープンは１つだけであってもよい。
【００１４】
ネットワーク層は、以下の事項をさらに備えることができる。
−  接続確立および解放のための機能
−  システム情報のブロードキャスト
−  無線ベアラ確立／再構成および解放
−  ＲＲＣ接続モビリティ手順
−  ページング通知および解放
−  外部ループ電力制御
【００１５】
セルへのアクセスとも称される、セルへの接続の際にＵＥをサポートするため、システム情報ブロック（ＳＩＢ）は、たとえば、ＰＤＳＣＨ物理チャネルにマップされることもあるダウンリンクのブロードキャスト制御チャネル（ＢＣＣＨ）論理チャネルのような、制御チャネルで送信される。ＬＴＥにおいて、多数のさまざまなＳＩＢが規定され、ＳＩＢは搬送している情報によって特徴付けられる。たとえば、セルのオペレータ、どのユーザがセルにアクセスできるかについての制限、およびアップリンク／ダウンリンクへのサブフレームの割り当てに関する情報のような、セルアクセスに関連するパラメータは、ＳＩＢ１によって搬送される。ＳＩＢ１は、その他のＳＩＢのスケジューリングに関する情報もさらに搬送する。
【００１６】
ＵＥの電力消費量を低減するため、間欠受信（ＤＲＸ）が実施されてもよい。ＤＲＸにおける基本的メカニズムは、構成可能ＤＲＸサイクルであり、これはまたＵＥにおいて、ＤＲＸパターンと称されてもよい。ＤＲＸサイクルが構成されると、ＵＥは、ＤＲＸサイクルのオンデュレーション（ｏｎＤｕｒａｔｉｏｎ）期間中に制御シグナリングのみを監視する。オンデュレーション期間は、１つまたは複数のサブフレームであってもよく、これはアクティブサブフレームまたは複数のアクティブサブフレームと称されることもある。ＤＲＸサイクルの残りのサブフレームにおいて、ＵＥは、その受信器をオフに切り替えることができ、これはまたＵＥスリープまたはＤＲＸサイクルのオフデュレーション（ｏｆｆＤｕｒａｔｉｏｎ）期間と称されてもよい。オフに切り替えることで、電力消費量の大幅な低減が可能になる、つまりＤＲＸサイクルが長くなり、オンデュレーション期間が短くなると、それに応じて電力消費量も低減することになる。一部の状況において、ＵＥが１つのサブフレームでデータの受信または送信をスケジュールされてアクティブであった場合、将来ＵＥが再度スケジュールされる可能性が高い。ＤＲＸサイクルに従って次のアクティブなサブフレームを待つことは、送信における追加の遅延をまねくことになる。したがって、遅延を低減するため、ＵＥは、スケジュールされているよりも後の特定の構成可能な時間にわたりアクティブ状態に留まることができ、これはまた３ＧＰＰ  ＴＳ３６．３２１  Ｃｈ３．１に規定されているアクティブ時間またはＤＲＸ非アクティビティタイマと称されてもよい。アクティブ時間の継続時間は、非アクティビティタイマによって構成され、これはＵＥがオフに切り替えて、物理ダウンリンク制御チャネル（ＰＤＣＣＨ）の最後の成功した復号からオフデュレーションに再度入るまでに待機するダウンリンクサブフレームの継続期間である。ＵＥは、送信のためにＰＤＣＣＨの単一の成功した復号の後に非アクティビティタイマを再始動することができる。ＵＥが最後の送信の後にオフデュレーションに再度入るために要する時間はまた、非アクティビティ時間と称されてもよい。
【００１７】
他のセルへのハンドオーバを容易にするため、各ネットワークノードは、ハンドオーバの潜在的なターゲットセルのネットワークノードとコンタクトする方法を知るために、アドレスデータベースに他のネットワークノードによってサポートされるセルのセル識別を格納することができる。セルをサービングする各ネットワークノードは、通常、どのセルに対して近隣関係を有するか、つまりＵＥが領域内のどのセルにハンドオーバを頻繁に実行するかをデータベースに格納する。セルの近隣関係は、今後、セルの「近隣関係リスト」と称される。
【００１８】
ＣＲＳは、ＯＦＤＭ時間および周波数グリッドのサブフレームのリソースエレメント（ＲＥ）に挿入されて、ネットワークノードによってブロードキャストされる、ＵＥに既知のシンボルである。各ＲＥは、ＯＦＤＭサブキャリアに対応する周波数領域における拡張、およびＯＦＤＭシンボル間隔に対応する時間領域における拡張を有する。
【００１９】
ＣＲＳは、ダウンリンクチャネル推定のためにＵＥによって使用される。チャネル推定は、ＵＥがＲＲＣ＿ＣＯＮＮＥＣＴＥＤ状態にありユーザデータを受信している場合、およびＵＥがＲＲＣ＿ＩＤＬＥ状態にあり、システム情報を読み込んでいる場合に、ダウンリンクデータの復調のために使用される。後者のユースケースに起因して、ネットワークノードはＵＥがランダムアクセスを実行するまでＵＥがネットワークにアクセスしようとしているかどうかを知ることができないので、ＣＲＳは、ＲＲＣ接続状態のＵＥを有していないセルからであっても送信される必要がある。ダウンリンクＣＲＳは、６つのサブキャリアの周波数領域スペーシングを持つ各スロットの第１および第３の最後のＯＦＤＭシンボル内に挿入される。スロットは、ＯＦＤＭ時間および周波数グリッドの期間であり、通常は０．５ミリ秒の長さである。したがって、既知の技術に関する問題は、いかなるＵＥもＲＲＣ接続状態にないセルがＣＲＳブロードキャスティングにより引き続き電力を消費することである。
【００２０】
複数のアンテナが送信のためにネットワークノードによって使用され、各アンテナがセルを表している場合、各アンテナは、ＵＥがその固有のセルに接続するために、一意の参照信号を送信する必要がある。１つのアンテナが送信するとき、その他のアンテナは、第１のアンテナの参照信号を干渉しないようにするため、サイレントである必要がある。セル間の参照信号の干渉を低減するため、ＣＲＳの位置は通常、セル間の周波数でシフトされる。ＣＲＳは、０〜５のサブキャリア間でシフトされてもよく、各サブキャリアは、ＬＴＥの場合１５ｋＨｚの周波数シフトに対応する。周波数シフトは、適切な１次同期チャネル（ＰＳＣＨ）および２次同期チャネル（ＳＳＣＨ）の選択によってＵＥに信号伝達される物理セル識別（Ｃｅｌｌ  ＩＤ）から導かれてもよい。
【００２１】
この低減は、セル間の、ＣＲＳシンボルのような参照シンボルの干渉を低減するが、１つのセルの参照シンボルが近隣セルのＰＤＳＣＨおよびＰＤＣＣＨシンボルを妨げるという問題を有する。
【００２２】
しかし、たとえセルがＲＲＣ＿ＣＯＮＮＥＣＴＥＤ状態のＵＥを有していない場合であっても、外乱は、近隣セルのＵＥ  ＤＬスループットに影響を及ぼすことがある。これは特に、ＵＥがセル間の境界内および／または境界付近にある場合に当てはまる。
【００２３】
ＣＲＳの電力を低減することで、この問題を緩和することができる。しかし、セルにアクセスするために、ＵＥは、セルのＣＲＳを聴取することができる必要がある、つまりＵＥはセルから送信されるＣＲＳを認識して受信できる必要がある。したがって、ＣＲＳの電力を低減することはまた、より遠く離れたＵＥがセルによって送信されたＣＲＳを聴取しなくなるので、セルのサイズを縮小させる。さらに、復調に使用されるチャネル推定の品質は、ＣＲＳに対する信号対干渉比（ＳＩＮＲ）が減少する場合に、低下する。したがって、ＣＲＳの電力を低減することで、セルエッジパフォーマンスの低下を引き起こす。この低下は、ネットワーク内の負荷が増大するとき、特にデータがＣＲＳよりも高い電力で送信される場合にさらに悪化するが、これは通常、ＣＲＳ干渉の影響が低減されるべき事例であるため、無線通信ネットワークのパフォーマンス低下をまねくことになる。
【発明の概要】
【００２４】
したがって、無線通信ネットワークにおいてパフォーマンスを高めることが、本明細書における実施形態の目的である。
【００２５】
本明細書における実施形態の第１の態様によれば、目的は、セル参照信号（ＣＲＳ）の送信を管理するためにネットワークノードによって実行される方法により達成される。
【００２６】
ネットワークノードは、１つまたは複数のセルを操作する。ネットワークノードは、セルがＵＥのセットをアクティブにサービングしているかどうかを識別する。セルがどのＵＥをもアクティブにサービングしていない場合、ネットワークノードは、ページングオケージョン中に送信される１つまたは複数のＣＲＳサブフレームで、および／またはシステム情報が送信される１つまたは複数のＣＲＳサブフレームで、第１の帯域幅を介してＣＲＳを送信する。ネットワークノードは、ページングオケージョン中に送信されない１つまたは複数のＣＲＳサブフレームで、および／またはシステム情報が送信されるサブフレーム以外の１つまたは複数のＣＲＳサブフレームで、第２の帯域幅を介してＣＲＳをさらに送信する。第２の帯域幅は、第１の帯域幅に関連して低減されている。セルがＵＥのセットをアクティブにサービングしており、そのＵＥのセットが間欠受信（ＤＲＸ）用に構成されている場合、ネットワークノードは、ＤＲＸパターンのオンデュレーション期間中にセルで送信される１つまたは複数のＣＲＳサブフレームで、および／またはシステム情報が送信される１つまたは複数のＣＲＳサブフレームで、および／またはダウンリンク（ＤＬ）データが送信される１つまたは複数のＣＲＳサブフレームで、第１の帯域幅を介してＣＲＳを送信する。ネットワークノードは、ＤＲＸのオンデュレーション期間中にセルで送信されないＣＲＳサブフレームで、および／またはシステム情報が送信されるＣＲＳサブフレーム以外の１つまたは複数のＣＲＳサブフレームで、および／またはダウンリンク（ＤＬ）データが送信されるＣＲＳサブフレーム以外の１つまたは複数のＣＲＳサブフレームで、第２の帯域幅を介してＣＲＳをさらに送信する。第２の帯域幅は、第１の帯域幅に関連して低減されている。
【００２７】
本明細書における実施形態の第２の態様によれば、目的は、セル参照信号（ＣＲＳ）の送信を管理するように構成されたネットワークノードによって達成される。ネットワークノードは、１つまたは複数のセルを操作する。ネットワークノードは、セルがＵＥのセットをアクティブにサービングしているかどうかを識別するように構成される。セルがどのＵＥをもアクティブにサービングしていない場合、ネットワークノードは、ページングオケージョン中に送信される１つまたは複数のＣＲＳサブフレームで、および／またはシステム情報が送信されるＣＲＳサブフレームで、第１の帯域幅を介してＣＲＳを送信するように構成される。ネットワークノードは、ページングオケージョン中に送信されない１つまたは複数のＣＲＳサブフレームで、および／またはシステム情報が送信されるＣＲＳサブフレーム以外のＣＲＳサブフレームで、第２の帯域幅を介してＣＲＳを送信するようにさらに構成される。第２の帯域幅は、第１の帯域幅に関連して低減されている。セルがＵＥのセットをアクティブにサービングしており、そのＵＥのセットが間欠受信（ＤＲＸ）用に構成されている場合、ネットワークノードは、ＤＲＸパターンのオンデュレーション期間中にセルで送信される１つまたは複数のＣＲＳサブフレームで、および／またはシステム情報が送信されるＣＲＳサブフレームで、および／またはダウンリンク（ＤＬ）データが送信されるＣＲＳサブフレームで、第１の帯域幅を介してＣＲＳを送信するようにさらに構成される。ネットワークノードは、ＤＲＸパターンのオンデュレーション期間中にセルで送信されないＣＲＳサブフレームで、および／またはシステム情報が送信されるＣＲＳサブフレーム以外のＣＲＳサブフレームで、および／またはダウンリンク（ＤＬ）データが送信されるＣＲＳサブフレーム以外のＣＲＳサブフレームで、第２の帯域幅を介してＣＲＳを送信するようにさらに構成される。第２の帯域幅は、第１の帯域幅に関連して低減されている。
【００２８】
オンデュレーション中もしくはオンデュレーションに関連してセルで送信されるサブフレーム以外のすべてのサブフレームで送信されるＣＲＳ、またはＳＩＢのようなシステム情報が送信されるサブフレームで送信もしくはサブフレームに関連して送信されるＣＲＳに、低減帯域幅モードを適用することにより、電力消費量およびセルからの干渉が低減され、それにより、データが送信される近隣セルのパフォーマンスを高めることができる。言い換えれば、低減帯域幅モードは、データ転送が行われず、ＵＥが自身の受信器をオフにして低電力モードに入る段階の間に適用される。
【００２９】
低減帯域幅モードを、ＲＲＣ接続モードにおいてどのＵＥをもサービングしていないセルのＣＲＳに適用することにより、電力消費量および空セルからの干渉が低減されて、ＲＲＣ接続済みモードのＵＥを有するセルのパフォーマンスを高めることができる。
【００３０】
本明細書における実施形態の例は、添付の図面を参照してさらに詳細に説明される。
【図面の簡単な説明】
【００３１】
【図１】無線通信ネットワークの実施形態を示す概略ブロック図である。
【図２】ＯＦＤＭサブフレームの実施形態を示す概略ブロック図である。
【図３】ネットワークノードにおける方法の第１の実施形態を示す流れ図である。
【図４】ネットワークノードにおける方法の第２の実施形態を示す流れ図である。
【図５】ネットワークノードの実施形態を示す概略ブロック図である。
【図６ａ】本明細書における方法の第１の実施形態を示すスケジューリング図である。
【図６ｂ】本明細書における方法の第１の実施形態を示すスケジューリング図である。
【図７】コアネットワークノードの実施形態を示す概略ブロック図である。
【発明を実施するための形態】
【００３２】
用語
下記の共通の用語が、実施形態において使用され、以下に詳細に説明される。
【００３３】
無線ネットワークノード：一部の実施形態において、非限定的な用語である無線ネットワークノードがより一般的に使用され、これはＵＥをサービングしている、および／またはその他のネットワークノードもしくはネットワーク要素もしくはＵＥが信号を受信する任意の無線ノードに接続される任意のタイプのネットワークノードを示す。無線ネットワークノードの例は、ＮｏｄｅＢ、基地局（ＢＳ）、ＭＳＲ  ＢＳのようなマルチスタンダード無線（ＭＳＲ）無線ノード、ｅＮｏｄｅＢ、ネットワークコントローラ、無線ネットワークコントローラ（ＲＮＣ）、基地局コントローラ、リレー、ドナーノード制御リレー、無線基地局（ＢＴＳ）、アクセスポイント（ＡＰ）、送信ポイント、送信ノード、ＲＲＵ、ＲＲＨ、分散アンテナシステム（ＤＡＳ）内のノードなどである。
【００３４】
ネットワークノード：一部の実施形態において、より一般的な用語である「ネットワークノード」が使用され、これは少なくとも１つの無線ネットワークノードと通信する任意のタイプの無線ネットワークノードまたは任意のネットワークノードに対応することができる。ネットワークノードの例は、上記の任意の無線ネットワークノード、コアネットワークノード（たとえば、移動通信交換局（ＭＳＣ）、モビリティ管理エンティティ（ＭＭＥ）など）、運用および保守（Ｏ＆Ｍ）センター、オペレーションサポートシステム（ＯＳＳ）、自己組織化ネットワーク（ＳＯＮ）、測位ノード（たとえば、エボルブドサービングモバイルロケーションセンタ（Ｅ−ＳＭＬＣ））、Ｍａｓｔｅｒ  Ｄａｔａ  Ｔｅｌｅｇｒａｍ（ＭＤＴ）などである。
【００３５】
ユーザ機器：一部の実施形態において、非限定的な用語であるユーザ機器（ＵＥ）が使用され、これはセルラーまたは移動体通信システムにおいて無線ネットワークノードと通信している任意のタイプの無線デバイスを示す。ＵＥの例は、ターゲットデバイス、デバイスツーデバイスＵＥ、マシンタイプＵＥまたはマシンツーマシン通信が可能なＵＥ、ＰＤＡ、ｉＰＡＤ、タブレット、移動端末、スマートフォン、ラップトップ組み込み機器（ＬＥＥ）、ラップトップ搭載機器（ＬＭＥ）、ＵＳＢドングルなどである。
【００３６】
本明細書における実施形態はまた、マルチポイントキャリアアグリゲーションシステムに適用される。
【００３７】
本明細書における実施形態を例示するために３ＧＰＰ  ＬＴＥからの用語が本開示において使用されているが、これは実施形態の範囲を前述のシステムのみに限定するものと見なされるべきではない。ＷＣＤＭＡ、ＷｉＭａｘ、ＵＭＢ、およびＧＳＭを含むその他の無線システムもまた、本開示の範囲内に含まれる概念を活用することによる利益を享受することができる。
【００３８】
また、ｅＮｏｄｅＢおよびＵＥのような用語が、非限定的なものと見なされるべきであり、特に、この２つの間に特定の階層関係を暗示するものではなく、概して「ｅＮｏｄｅＢ」はデバイス１、「ＵＥ」はデバイス２と見なされてもよく、これらの２つのデバイスは一部の無線チャネルを介して相互に通信することに留意されたい。本明細書において、ダウンリンクにおける無線送信に重点も置かれているが、本明細書における実施形態は、アップリンクにも同様に適用可能である。
【００３９】
このセクションにおいて、本明細書における実施形態は、多数の例示的な実施形態によりさらに詳細に説明される。これらの実施形態が相互排他的ではないことを理解されたい。ある実施形態からのコンポーネントが、別の実施形態に存在すると暗黙のうちに仮定されてもよく、それらのコンポーネントがその他の例示的な実施形態にどのように使用され得るかは、当業者には明らかとなろう。
【００４０】
図１は、本明細書における実施形態が実施され得る第１のシナリオによる無線通信ネットワーク１００の例を示す。無線通信ネットワーク１００は、ＬＴＥ、Ｅ−ＵＴＲＡＮ、ＷＣＤＭＡ、ＧＳＭネットワーク、任意の３ＰＰセルラーネットワーク、ＷｉＭａｘ、または任意のセルラーネットワークもしくはシステムのような無線通信ネットワークである。
【００４１】
無線通信ネットワーク１００は、複数のネットワークノードを備え、その中の第１のネットワークノード１１０および第２のネットワークノード１１１の２つが図１に示される。第１のネットワークノード１１０および第２のネットワークノード１１１は各々、たとえば、ｅＮＢ、ｅＮｏｄｅＢ、またはＨｏｍｅ  Ｎｏｄｅ  Ｂ、Ｈｏｍｅ  ｅＮｏｄｅＢ、または無線通信ネットワークにおいてユーザ機器またはマシンタイプ通信デバイスのような無線端末をサービングすることができる任意の他のネットワークノードのような、送信ポイントであってもよいネットワークノードである。第１のネットワークノード１１０および第２のネットワークノード１１１は各々、複数のセル１３０、１３１、１３２をサービングする。
【００４２】
無線通信ネットワーク１００は、ＵＥのセット１２１を備え、このセットは１つまたは複数のＵＥ１２０を備えることができる。第１のネットワークノード１１０および第２のネットワークノード１１１は各々、ＵＥ１２０の送信ポイントであってもよい。ＵＥ１２０は、第１のネットワークノード１１０および第２のネットワークノード１１１の無線範囲内にあり、これはＵＥ１２０が第１のネットワークノード１１０および第２のネットワークノード１１１から信号を聴取できることを意味する。また、各セル内に１つまたは複数のＵＥ１２０があってもよく、１つまたは複数のＵＥ１２０はまた、ＵＥのセット１２１と称されてもよい。
【００４３】
ＵＥのセット１２１のＵＥ１２０は、たとえば無線端末、無線デバイス、モバイル無線端末もしくは無線端末、携帯電話、たとえばラップトップ、携帯情報端末（ＰＤＡ）、もしくは無線機能を備え、場合によってはサーフプレートと称されるタブレットコンピュータのようなコンピュータ、または無線通信ネットワークにおいて無線リンクを介して通信することができる任意の他の無線ネットワークユニットであってもよい。本文献において使用される無線端末という用語がまた、マシンツーマシン（Ｍ２Ｍ）デバイスのようなその他の無線デバイスを含むことに留意されたい。
【００４４】
図２は、ＯＦＤＭサブフレームとも称されることがある、例示的なダウンリンクＯＦＤＭ時間および周波数グリッドを示す。各サブフレームは２つのスロットを備える。各スロットは、時間領域（ｘ軸）および周波数領域（ｚ軸）に広がる複数のリソースエレメント（ＲＥ）２０１を備える。周波数領域における各ＲＥ２０１の拡張は、サブキャリアと称されてもよく、時間領域における拡張は、ＯＦＤＭシンボルと称されてもよい。時間領域において、ＬＴＥダウンリンク送信は、１０ｍｓの無線フレームに編成され、各無線フレームは１０個の等しいサイズのサブフレームを備える。さらに、ＬＴＥにおけるリソース割り当ては通常、複数のＲＥを備える物理リソースブロック（ＰＲＢ）に関して説明されてもよい。リソースブロックは、時間領域における１つのスロット、および周波数領域における１２個の隣接サブキャリアに対応する。
【００４５】
ダウンリンクおよびアップリンク送信は動的にスケジュールされる、つまり各サブフレームにおいて第１のネットワークノード１１０は、どのＵＥ１２０との間でデータが送信されるか、およびどのリソースブロックでデータが送信されるかに関する制御情報を送信する。制御情報は、システム情報、ページングメッセージ、および／またはランダムアクセス応答メッセージを備えることができる。所与のＵＥ１２０の制御情報は、１つまたは複数のＰＤＣＣＨを使用して送信されてもよい。ＰＤＣＣＨの制御情報は、各サブフレームの制御領域において送信される。図２は、たとえばＰＤＣＣＨのような、制御シグナリングに割り当てられた３つのＯＦＤＭシンボルの通常の制御領域の例示的なサイズを示す。しかし、制御領域のサイズは、現在のトラフィック状況に従って動的に調整されてもよい。図に示される例において、３つの可能性の中から第１のＯＦＤＭシンボルのみが、制御シグナリングに使用される。通常、制御領域は、制御情報を複数のＵＥ１２０に同時に搬送する複数のＰＤＣＣＨを備えることができる。制御シグナリングに使用されるＲＥは波形線で指示され、ＣＲＳに使用されるＲＥは斜線で指示される。
【００４６】
ＣＲＳは、ダウンリンクチャネル推定のためにＵＥ１２０によって使用される。チャネル推定は、ＵＥ１２０がＲＲＣ接続状態にある場合、およびＵＥ１２０がＲＲＣアイドル状態にあり、システム情報を読み込んでいる場合に、ダウンリンクデータの復調を決定するために使用される。ダウンリンクＣＲＳは、６つのサブキャリアの周波数領域スペーシングを持つ各スロットの第１および第３の最後のＯＦＤＭシンボル内に挿入されてもよい。ＲＳＲＰは、ＬＴＥセルの信号強度の測定であり、これはＵＥがハンドオーバおよびセル再選択の決定の入力としてさまざまなセルをランク付けするのを補助する。ＲＳＲＰは、全帯域幅にわたりセル固有参照信号（ＣＲＳ）を搬送するすべてのリソースエレメントの電力の平均である。したがって、これは、ＣＲＳを搬送するＯＦＤＭシンボルにおいてのみ測定される。
【００４７】
サブフレームはまた、第１のネットワークノード１１０とＵＥ１２０の間でユーザデータを送信するために使用されるデータシンボルを備える。データシンボルは、制御領域の後に続く領域に位置しており、データ領域とも称される。
【００４８】
セル参照信号（ＣＲＳ）の送信を管理するためのネットワークノード１１０における方法の実施形態の第１の例は、これ以降、図３に示される流れ図を参照して説明される。ネットワークノード１１０は、１つまたは複数のセル１３０、１３１、１３２を操作するが、セルはＵＥのセット１２１をサービングすることも、しないこともある。
【００４９】
方法は、以下のアクションを含むことができるが、アクションは任意の適切な順序で行われてもよい。図３のボックスの破線は、このアクションが必須ではないことを指示する。
【００５０】
アクション３０１
ネットワークノード１１０は、１つまたは複数のセル１３０、１３１、１３２の中のセルが、ＵＥのセット１２１をアクティブにサービングしているかどうかを識別する。ＵＥのセット１２１をアクティブにサービングしているセルはまた、接続済みＵＥのセットを有するセルと称されてもよく、ＵＥ１２１のセットをアクティブにサービングしていないセルは、空のセルと称されてもよい。このアクション３０１は、ネットワークノード１１０のようなネットワークノード内の識別モジュール４０４によって実行されてもよい。このアクションは、後段において説明されるアクション４０１に対応する。
【００５１】
ネットワークノード１１０が、ＵＥのセット１２１をアクティブにサービングしていないセルを識別した場合、ネットワークノードは、後段において説明されるアクション３０２および３０３を実行する。アクション３０２および３０３は相互に続くように示されているが、アクションは同時に実行されてもよい。
【００５２】
アクション３０２
ネットワークノード１１０が、ＵＥのセット１２１をアクティブにサービングしていないセルを識別した場合、ネットワークノード１１０は、ページングオケージョン中に送信される１つまたは複数のＣＲＳサブフレームで、および／またはシステム情報が送信される１つまたは複数のＣＲＳサブフレームで、第１の帯域幅を介してＣＲＳを送信する。
【００５３】
アクション３０３
ネットワークノード１１０が、ＵＥのセット１２１をアクティブにサービングしていないセルを識別した場合、ネットワークノード１１０は、ページングオケージョン中に送信されない１つまたは複数のＣＲＳサブフレームで、および／またはシステム情報が送信されるサブフレーム以外の１つまたは複数のＣＲＳサブフレームで、第２の帯域幅を介してＣＲＳをさらに送信する。第２の帯域幅は、第１の帯域幅に関連して低減されている。
【００５４】
本明細書におけるさらなる実施形態において、ページングオケージョンは、ＵＥのセット１２１をサービングしていないセルにおいて、ページングを有する各無線フレームの１つのＣＲＳサブフレームで送信されるのみであってもよい。これにより、第１の帯域幅で送信される必要のあるＣＲＳサブフレームの数が低減され、それによりネットワークノード１１０は、より多くの数のＣＲＳサブフレームにおいて帯域幅を低減することができる。
【００５５】
ネットワークノードが、ＵＥのセット１２１をアクティブにサービングしていないセルを識別し、そのＵＥのセット１２１が間欠受信（ＤＲＸ）用に構成されている場合、ネットワークノード１１０は、後段において説明されるアクション３０４および３０５を実行する。アクション３０４および３０５は相互に続くように示されているが、アクションは同時に実行されてもよい。
【００５６】
アクション３０４
ネットワークノードが、ＵＥのセット１２１をアクティブにサービングしているセルを識別し、そのＵＥのセット１２１が間欠受信（ＤＲＸ）用に構成されている場合、ネットワークノード１１０は、ＤＲＸパターンのオンデュレーション期間中にセルで送信される１つまたは複数のＣＲＳサブフレームで、および／またはシステム情報が送信される１つまたは複数のＣＲＳサブフレームで、および／またはダウンリンク（ＤＬ）データが送信される１つまたは複数のＣＲＳサブフレームで、第１の帯域幅を介してＣＲＳを送信する。
【００５７】
さらなる実施形態において、ネットワークノード１１０はまた、ページングオケージョン中に送信されるＣＲＳサブフレーム、および／または、システム情報が送信されるおよび／またはオンデュレーション期間中のＣＲＳサブフレーム、および／または、ＤＬデータが送信されるＣＲＳサブフレーム、の直前または直後に送信されるＣＲＳサブフレームで、第１の帯域幅を介してＣＲＳを送信することができる。
【００５８】
アクション３０５
ネットワークノードが、ＵＥのセット１２１をアクティブにサービングしているセルを識別し、そのＵＥのセット１２１が間欠受信（ＤＲＸ）用に構成されている場合、ネットワークノード１１０は、ＤＲＸのオンデュレーション期間中にセルで送信されないＣＲＳサブフレームで、および／またはシステム情報が送信されるＣＲＳサブフレーム以外の１つまたは複数のＣＲＳサブフレームで、および／またはＤＬデータが送信されるＣＲＳサブフレーム以外の１つまたは複数のＣＲＳサブフレームで、第２の帯域幅を介してＣＲＳをさらに送信する。第２の帯域幅は、第１の帯域幅に関連して低減されている。このアクション３０５は、後段において説明されるアクション４０２に対応し、したがってアクション４０２に対して説明される実施形態はまた、このアクション３０５にも適用されてもよい。
【００５９】
アクション３０６
ネットワークノード１１０が、ＵＥのセットをアクティブにサービングしているセルを識別した場合、ネットワークノード１１０は、ＤＲＸコマンドを備えるメッセージをＵＥのセット１２１にさらに送信することができる。ＤＲＸコマンドは、ＵＥのセット１２１について、ＤＲＸサイクルと称されることもある、ＤＲＸパターンを指示する。指示されるＤＲＸパターンは、ＵＥのセット１２１が使用するＤＲＸパターンである。ＤＲＸパターンのオンデュレーションは、ＵＥ１２０がオーバーラップするオンデュレーション期間を有するように、ＵＥのセット１２１に含まれるＵＥ１２０に対してアライメントされる。ＵＥ１２０のオンデュレーション期間をアライメントすることによって、ＵＥはグループ化されてもよい、つまりＵＥはオーバーラップするオンデュレーションを有することになる。これは、ＣＲＳが第１の帯域幅モードで送信されるオケージョンが低減され得ること、およびＣＲＳが第２の帯域幅を介して送信されるサブフレームの数が増大するという利点を有する。これは、セルのパフォーマンスをさらに向上させる。
【００６０】
このアクション３０６は、後段において説明されるアクション４０３に対応し、したがってアクション４０３に対して説明される実施形態はまた、このアクション３０６にも適用されてもよい。
【００６１】
ＤＲＸパターンのオンデュレーションを指示するコマンドを備えるメッセージをセル内のすべての接続済みのＵＥに送信することによって、ＵＥはグループ化されてもよい、つまりＵＥはオーバーラップするオンデュレーションを有するように構成される。そのようにすることで、各ＵＥが同じ時間間隔中にＲＳＲＰ、ＲＳＲＱ、またはＲＳＳＩのような無線測定を実行するので、ＣＲＳが全帯域幅で送信される必要があるオケージョンが最小化され得るので、セルのパフォーマンスがさらに高められ得る。
【００６２】
セル参照信号（ＣＲＳ）の送信を管理するためのネットワークノード１１０における方法の実施形態のさらなる例は、これ以降、図４に示される流れ図を参照して説明される。ネットワークノード１１０は、１つまたは複数のセルを操作し、操作中に第１の帯域幅モードでＣＲＳを送信するように構成される。これは、通常の操作に関連する。第１の帯域幅モードはまた、ネットワークノード１１０の少なくとも１つのセルがＲＲＣ接続済みモードで少なくとも１つのＵＥ１２０をサービングしており、少なくとも１つのＵＥ１２０はデータを受信するようにスケジュールされる場合に使用される通常帯域幅モードと称されてもよい。通常帯域幅モードにおいて、ＣＲＳは、ＤＬ無線フレーム（ＲＦ）の全使用可能帯域幅を介して送信される、つまりＣＲＳはセルの全物理リソースブロック（ＰＲＢ）で送信される。
【００６３】
方法は、以下のアクションを含むことができるが、アクションは任意の適切な順序で行われてもよい。図４のボックスの破線は、このアクションが必須ではないことを指示する。
【００６４】
アクション４０１
ネットワークノード１１０は、ＵＥのセット１２１をサービングするセルを識別するが、ＵＥのセットはまた、接続済みＵＥのセットと称されてもよい。ＵＥのセット１２１は、間欠受信（ＤＲＸ）用に構成される。ＵＥのセット１２１は、１つまたは複数のＵＥ１２０を備えることができる。ＵＥのセット１２１は、そのセルの１つで送信されるネットワークノードからの送信を受信するために、ネットワークノードによって、スケジュール解除される。これは、ネットワークノードが、セル内のネットワークノード１１０から送信された送信の受信のためにＵＥのセット１２１をスケジュールしなかったか、またはＵＥのセット１２１がＵＬまたはＤＬでの送信のためにスケジュールされてから特定の時間（Ｔ）が経過したことを意味することがある。時間Ｔは、ＤＲＸ非アクティビティタイマで構成された時間であってもよい。このアクション４０１は、ネットワークノード１１０のようなネットワークノード内の識別モジュール４０４によって実行されてもよい。
【００６５】
アクション４０２
ネットワークノード１１０が、ＵＥのセット１２１をサービングする第１のセルを識別し、そのＵＥのセット１２１がネットワークノード１１０によってスケジュール解除される場合、ネットワークノード１１０は、第２の帯域幅モード、つまり低減ＣＲＳ帯域幅モードを、ＤＲＸのオンデュレーション中にセルで送信されないサブフレーム、またはシステム情報が送信されるサブフレームのＣＲＳに適用する。さらなる実施形態において、低減ＣＲＳ帯域幅モードはまた、オンデュレーションに関連して、またはシステム情報が送信されるサブフレームに関連して送信されないサブフレームで送信されるＣＲＳに適用されてもよく、これはたとえば、オンデュレーションまたはシステム情報が送信されるサブフレームの直前または直後のサブフレームであってもよい。第２の帯域幅モードにおいて、帯域幅は、第１の帯域幅モードに関連して低減されている。システム情報は、たとえばシステム情報ブロック（ＳＩＢ）であってもよい。この低減帯域幅モードはまた、低帯域幅モードと称されてもよい。低帯域幅モードは、ネットワークノード１１０が、セルのサブフレームのすべてのＰＲＢでＣＲＳを送信していないことを意味する。ＣＲＳの帯域幅を低減することによって、つまりＤＬ無線フレームの使用可能な帯域幅の一部でのみＣＲＳを送信することによって、セル１３０からのＣＲＳの全体的な干渉が低減される。セル１３０からの干渉を低減することで、ＲＲＣが接続され、スケジュールされたＵＥ１２０を備える近隣セル１３１のスループットが増大する。
【００６６】
ＣＲＳ帯域幅が低減される場合、ＲＳＰＲのような、セル評価または最善セル評価とも称されることがあるモビリティ測定は、悪影響を受ける場合があることを研究が示している。これは、ＵＥに、キャンプオンすべきセルに関して誤った決定を行わせる場合もある。ＵＥ１２０が近隣セルにモビリティ測定を実行する場合、帯域幅の限られた部分のみが考慮に入れられる。帯域幅のこの限られた部分は、たとえば、サブフレームの中央の６つのＰＲＢである場合もある。しかし、ＵＥが、自セルとも称されることがある、キャンプオンするセルにパフォーマンス測定を実行する場合、全帯域幅が考慮に入れられる。セルでＣＲＳを送信するための帯域幅が低減される場合、ＣＲＳは、たとえば中央の６つのＰＲＢのような、帯域幅の一部でのみ送信されることになる。しかし、ＲＳＲＰは、全帯域幅にわたりＣＲＳを搬送するすべてのＲＥの平均電力として計算される。たとえば中央の６つのＰＲＢで送信されるＣＲＳの電力は、単に低減帯域幅のみならず、全帯域幅にわたり平均化されるので、自セルのＲＳＲＰは、近隣セルの場合よりも低いと思われる場合もある。このことは、ＵＥに、実際はより悪い状態でありながら良好と思われ得る近隣セルへの、ハンドオーバの実行とも称されることがある、接続を行わせることに至る場合もある。中央の６つのＰＲＢでのみ評価される近隣セルが常により良好であると思われるので、このことは、ＵＥに、ピンポン、セル間の往復とも称されることがある、複数ハンドオーバの実行を開始させることに至る場合もある。
【００６７】
セル評価または最善セル評価のようなモビリティ測定を破損するなど、低減帯域モードが悪影響を及ぼすことを回避するため、ＤＲＸのオンデュレーション中に送信されるサブフレームまたはシステム情報が送信されるサブフレームは、最初に送信され、これはまた通常の帯域幅モードと称されてもよい。
【００６８】
さらなる実施形態において、ＣＲＳは、オンデュレーション中に送信されるサブフレーム周囲のサブフレーム内の通常帯域幅モードで送信されてもよい。１つの実施形態において、通常帯域幅モードは、オンデュレーション中に送信されるサブフレームの前または後の複数のサブフレームに適用されてもよい。通常帯域幅モードで送信されるサブフレームの数は、オンデュレーション中に送信されるサブフレームを含めて最大２５個のサブフレームであってもよい。オンデュレーションは、２つのサブフレームにわたって位置してもよい。さらなる実施形態において、通常帯域幅モードは、合計１３個のサブフレームに通常帯域幅モードが適用されるように、オンデュレーションに先行する４つのサブフレームおよびオンデュレーションに続く７つのサブフレームに適用されてもよい。オンデュレーションの周囲に位置するサブフレーム内の通常帯域幅モードでＣＲＳを送信することにより、測定が厳密にオンデュレーション中に実行されない場合であっても、チャネル推定を実行するために、最新のＵＥのように正確には測定を実行していないレガシーＵＥがＣＲＳを測定できることが保証されてもよい。ＣＲＳが通常帯域幅モードで送信されるサブフレームの数は、ＵＥによって実行される測定の精度に応じて、低減されてもよい。さらなる実施形態において、通常帯域幅モードは、たとえば、オンデュレーション中に送信されるサブフレームまたはシステム情報が送信されるサブフレームに先行する１つのサブフレームに対して適用されてもよい。これにより、ＣＲＳが全帯域幅にわたり送信される、つまりＵＥがオンデュレーション中に測定を実行している場合に通常帯域幅モードで送信される。この実施形態は、図６に示される。
【００６９】
さらにもう１つの実施形態において、ＣＲＳは、ＵＥの非アクティビティ時間中にも通常帯域幅モードで送信されてもよい。
【００７０】
長いＤＲＸサイクルを有すること、つまりＤＲＸのオンデュレーション間に長い時間を有することは、ネットワークノード１１０がより多くのサブフレームに低減帯域幅モードを適用できるようになるので、さらに有益となり得る。本明細書における１つの実施形態において、ＤＲＸパターンのサイクルとも称されることがある、ＤＲＸサイクルは、２０ｍｓから３２０ｍｓの範囲内であってもよい。本明細書におけるさらなる実施態様において、ＤＲＸサイクルは、２０ｍｓから８０ｍｓの範囲内であってもよい。さらにもう１つの実施形態において、ＤＲＸサイクルは、４０ｍｓの長さであってもよい。これは、ＵＥが、接続先となるセル内のチャネル条件を評価するために通常ＲＳＲＰを読み取る好ましい周期性であることを研究が示している。
【００７１】
このアクション４０２は、ネットワークノード１１０のようなネットワークノード内の帯域幅調整モジュールによって実行されてもよい。
【００７２】
アクション４０３
本明細書におけるさらなる実施形態において、ネットワークノード１１０は、ＵＥのセット１２１にメッセージを送信することができ、このメッセージは間欠受信（ＤＲＸ）コマンドを備える。コマンドは、ＤＲＸパターンの、オンデュレーション期間とも称されることがあるオンデュレーションが、ＵＥのセット１２１に含まれるＵＥに対してアライメントされるＤＲＸサイクルを指示する。これにより、ＵＥは、グループ化されてもよい、つまりＵＥはオーバーラップするオンデュレーションを有することになる。これは、ＣＲＳが第１の帯域幅モードで送信されるオケージョンが低減され得るという利点を有する。これは、セルのパフォーマンスをさらに向上させる。
【００７３】
本明細書におけるさらにもう１つの実施形態において、ＤＲＸパターンのオンデュレーションは、システム情報ブロック（ＳＩＢ）のようなシステム情報を備える１つまたは複数のサブフレームの送信とアライメントされてもよい。本明細書におけるさらなる実施形態において、オンデュレーションは、ＳＩＢ１とアライメントされる。ＳＩＢ１は、セルアクセス関連のパラメータ、およびその他のＳＩＢのスケジューリングに関する情報を備えるので、ＳＩＢ１は、たとえば残りのＳＩＢが送信されない場合であっても送信される。したがって、ＵＥのセット１２１のオンデュレーションをＳＩＢ１の送信とアライメントすることで、第１の帯域幅モードで送信されるサブフレームがさらに低減され得るので、セルのパフォーマンスをさらに向上させる。オンデュレーションをＳＩＢ１とアライメントすることは、ＳＩＢ１がいずれにせよ全ＣＲＳ帯域幅で送信しているので、損失をさらに縮小する。ＳＩＢ１は、２０ｍｓの周期性でサブフレーム５において送信されてもよく、これはまたＳＦＮ  ｍｏｄ２＝０と称されてもよい。ＤＲＸを実施することにより、ＵＥは、ＣＲＳが全帯域幅モードで送信される場合に現在のセルの状態を常に評価するように、および接続されているＵＥがスリープ状態である場合に帯域幅を低減するようにトリガーされてもよく、これはまた促進される、命令される、強制される、または仕向けられると称されてもよい。トリガーは、ＤＲＸサイクルのオンデュレーションが設定されるＤＲＸコマンドで送信されてもよい。ＤＲＸパターンは、ネットワークノードが全帯域幅を介して、つまり通常の帯域幅モードで、ＣＲＳをすでに送信するタイムスロットへのＲＳＲＰの評価およびその他の測定をトリガーするために、ＵＥ１２０に適用されてもよい。
【００７４】
さらにもう１つの実施形態において、ネットワークノード１１０は、たとえば３ＧＰＰ  ＴＳ  ３６．３２１  ｖ１１．５．０  Ｃｈ６．１．３．３において規定され、ＤＲＸコマンドＭａｃコントロール要素と称されるもののような、３ＧＰＰ  ＤＲＸコマンドＭａｃＣｏｎｔｒｏｌＥｌｅｍｅｎｔを送信することによって、ＵＥに、ＤＲＸスリープに入るよう強制することができる。ＭａｃＣｏｎｔｒｏｌ要素は、ＤＲＸ非アクティビティタイマおよび／またはオンデュレーションタイマを停止させる指示を備えることができる。
【００７５】
本明細書におけるさらなる実施形態において、ＤＲＸパターンのオンデュレーションのアライメントおよび／または低減ＣＲＳ帯域幅の適用は、接続されるＵＥの数が特定のしきい値を超える場合に非アクティブ化されてもよい。
【００７６】
このアクション４０３は、ネットワークノード１１０のようなネットワークノード内の送信モジュールによって実行されてもよい。送信モジュールはまた、ネットワークノードのようなネットワークノード内の無線回路に含まれてもよい。
【００７７】
本明細書における１つの実施形態において、低減ＣＲＳ帯域幅モードは、任意のサブフレームで送信されるＣＲＳに適用されるが、ネットワークノード１１０がシステム情報、ページングまたはランダムアクセス応答メッセージを送信するサブフレーム、またはＵＥ１２０が測定を実行するとネットワークノード１１０が仮定するサブフレームの場合を除く。低減ＣＲＳ帯域幅モードを、上記で言及されるサブフレーム以外のすべてのサブフレームで適用することにより、ＣＲＳによる干渉は低減され、同時に近隣セル１３１、１３２のＵＥ１２０が空セル１３０からＣＲＳを聴取できるようにする。これは、ＵＥ１２０が、セルのダウンリンク制御チャネルを復調できるようにするため、信号の変調に関する情報を取得するために必要とされる。この実施形態において、ネットワークノード１１０がＳＩＢのようなシステム情報、ページングまたはランダムアクセス応答メッセージを送信するか、またはＵＥ１２０が測定を実行すると仮定するサブフレームで、ネットワークノード１１０は全帯域幅を介してＣＲＳを送信することができる。
【００７８】
本明細書におけるさらなる実施形態において、ネットワークノード１１０がシステム情報、ページングまたはランダムアクセス応答メッセージを送信するか、またはＵＥ１２０が測定を実行すると仮定するサブフレームで、データまたは制御情報の送信のために使用されるＰＲＢでのみＣＲＳを送信する。
【００７９】
ネットワークノード１１０はまた、ＰＤＣＣＨの共通検索スペースにマップされるＲＥに隣接するＲＥでのみＣＲＳを送信することもできる。これにより、ＣＲＳは、ＵＥがＰＤＣＣＨを探している領域においてのみ送信される。これにより、ＣＲＳが第２の帯域幅を介して送信され得るサブフレームの数は増大し、無線通信ネットワークのパフォーマンスをさらに向上させる。
【００８０】
ＣＲＳ帯域幅は、複数レベルにおいてさらに適応されてもよい。ＬＴＥの場合、セル１３０の帯域幅は、たとえば、１．４から２０ＭＨｚの範囲で変化してもよい。しかし、使用される技術に応じて、その他の帯域幅が可能であってもよい。
【００８１】
さらなる実施形態において、ＣＲＳ帯域幅レベルを変更する場合にヒステリシス関数が適用されてもよく、それによりセル１３０が第１から第２の帯域幅モードに切り替わるときに帯域幅モードの間を不必要に切り替わることを回避する。
【００８２】
本明細書におけるさらにもう１つの実施形態において、ＵＥは、Ｖｏｉｃｅ  ｏｖｅｒ  ＩＰ（ＶｏＩＰ）を必要とするサービスまたはその他の「コンスタントオン」タイプのサービスのために、最善のカバレッジを有する最低周波数帯域に移動されてもよく、その間ＣＲＳはより高い周波数帯域でミュートされてもよい。Ｖｏｉｃｅ  ｏｖｅｒ  ＬＴＥユーザを最低周波数帯域に移動することは、これらの帯域が非常にアクティブであってカバレッジを必要としているので、有益である場合がある。これは、キャリアアグリゲーションにとって有益である。
【００８３】
本明細書におけるさらなる実施形態において、一部のＵＥは、ＤＲＸオンデュレーションでアライメントされ得る物理アップリンク制御チャネル（ＰＵＣＣＨ）のチャネル品質インジケータ（ＣＱＩ）で構成されてもよいが、一部のＵＥはＰＵＣＣＨ上でＣＱＩを伴わずに構成される。これにより、オンデュレーション期間は、より緊密にスタックされ得る。ＰＵＣＣＨ  ＣＱＩを与えられるＵＥのスマートな選択は、システムのカバレッジを減らさないようにするため、たとえばパスロスに注目することによって、実施されてもよい。高いパスロスを伴うＵＥは、ＰＵＣＣＨのＣＱＩで構成されてもよく、その他のＵＥはそのように構成されない。
【００８４】
本明細書におけるさらなる実施形態において、ページングフレームおよびページングオケージョンで動的再構成が実行されてもよい。これにより、通常の帯域幅で実行されるＣＲＳ送信を低減し、同時に十分なページング容量を保持する。
【００８５】
さらなる実施形態において、Ｘ２を超える調整が、干渉するセルの間で実行されてもよい。これにより干渉するセルは、ブランクサブフレームと称されることもある、低減帯域幅モードで送信されるサブフレームについて、および非ブランクサブフレームと称されることもある、通常帯域幅モードで送信されるサブフレームについて、相互に通知することができる。これは、異なるネットワークノードが、ブランクサブフレーム対非ブランクサブフレームについて異なる外側ループ調整値を有することができるようにし、リンク適合の結果を高めることができる。
【００８６】
本明細書におけるさらなる実施形態において、ＤＬデータは、特定の周期で接続済みモードで各ＵＥに送信されてもよい。これは、ＲＳＲＰ、ＲＳＲＱ、またはＲＳＳＩのような、ＵＥによって実行される測定の安定性を高めるために示されている。ＤＬデータは、ＵＥのオンデュレーションの時間に対応する期間中に送信されてもよい。ＤＬデータの好ましい周期性が約２秒であることをテストが示しており、つまり約２秒ごとにＤＬデータがＵＥに送信される。周期的に送信されるＤＬデータは、任意のＤＬデータであってもよい。１つの実施形態において、タイミングアドバンスコマンド（ＴＡＣ）は、周期的ＤＬデータとして送信される。ＣＲＳは、ＤＬデータの送信中に全帯域幅モードで送信され、それによりＣＲＳは、ＤＬ送信中およびその後の、ＤＲＸ非アクティビティ時間と称されることもある、非アクティビティ時間中にＵＥに提供される。
【００８７】
本明細書におけるさらなる実施形態において、ＣＲＳはまた、ＵＬ送信中、たとえばＵＬデータが送信されるサブフレーム中に第１の帯域幅または全帯域幅モードを介して送信されてもよい。
【００８８】
本明細書におけるさらなる実施形態において、周期的ＤＬデータ送信は、接続済みＵＥ間でアライメントされてもよい。３ＧＰＰ  ＴＳ  ３６．３２１  ｖ．９．６．０に規定されているように、各ＤＬ送信はＤＲＸ非アクティビティタイマを開始するので、ＣＲＳは、非アクティビティ期間の継続時間中に各ＵＥに全帯域幅モードで送信される。接続済みＵＥの間で周期的ＤＬデータ送信をアライメントすることにより、全スペクトルＣＲＳが送信される必要のあるサブフレームの数が低減される。これは、各ＥＵのＤＲＸ非アクティビティタイマ中に送信される全帯域幅ＣＲＳが時間で一致し、したがってＣＲＳがミュートされ得るサブフレームの数が最大化されることを確認することによって、多数のユーザが接続される場合にゲインを改善する。これにより、セルのパフォーマンスはさらに改善され得る。
【００８９】
本明細書におけるさらなる実施形態において、接続済みＵＥは、ＵＥのアクティビティを監視するネットワークノードの非アクティビティタイマが満了した後、つまりＵＥが特定の時間にわたり非アクティブであったとき、解放されてＩＤＬＥモードに入るよう強制されてもよい。本明細書における実施形態において、この非アクティビティタイマは、可変であってもよい。非アクティビティタイマは、セル内の接続済みＵＥの数に基づいて変化してもよい。本明細書において説明される方法にとって、接続済みＵＥのＣＲＳ帯域幅を低減するための方法がアクティブである場合に可能な限り少ない接続済みＵＥを有することが、有益である。したがって、セル内の接続済みＵＥのしきい値は、規定されてもよい。接続済みＵＥの合計数がしきい値を下回る場合、接続済みＵＥの非アクティビティタイマの継続時間は、セル内の接続済みＵＥの合計数がしきい値を超える場合の非アクティビティタイマの継続時間と比較して、低減される。これにより、接続済みＵＥはより迅速に解放されるので、ＣＲＳの送信を管理するための方法がアクティブである場合に、接続済みユーザの数を最少に低減する。低減された非アクティビティタイマは、たとえば、通常の非アクティビティタイマの約１０秒と比較して、約４秒であってもよい。
【００９０】
本明細書におけるさらなる実施形態において、ＤＲＸ非アクティビティタイマ長さ、オンデュレーション期間と称されることもあるＤＲＸオンデュレーション周期性および長さ、および／またはＴＡＣ／ＤＬデータ送信周期性のような、本明細書において説明される方法のパラメータが、ＵＥのさまざまなタイプに従って、適合されてもよく、これは、合わせて調整されるか、または調整すると称されてもよい。ＵＥの国際移動体装置識別番号（ＩＭＥＩ：Ｉｎｔｅｒｎａｔｉｏｎａｌ  Ｍｏｂｉｌｅ  Ｅｑｕｉｐｍｅｎｔ  Ｉｄｅｎｔｉｔｙ）および／またはＩＭＥＩソフトウェアバージョン（ＩＭＥＩＳＶ：ＩＭＥＩ  Ｓｏｆｔｗａｒｅ  Ｖｅｒｓｉｏｎ）は、コアネットワークからネットワークノードに送信されてもよく、異なるブランドのような、異なるＵＥタイプを区別するために識別子として使用されてもよい。さらなる実施形態において、コアネットワークノードは、ＩＭＥＩまたはＩＭＥＩＳＶに基づいてＵＥのブランド／タイプを識別することができ、ＵＥのブランドをネットワークノードに送信することができる。次いで、ネットワークノードは、受信したＵＥのタイプに基づいて情報のパラメータを適合させることができる。さらなる実施形態において、ＵＥおよびネットワークノードは、たとえばＭＡＣ、ＲＬＣ、ＰＤＣＰ、またはＲＲＣレベルで、専有プロトコルを確立することができ、これはＵＥタイプ／ブランドを識別するために使用されてもよい。ＵＥの識別に基づいて、ＵＥは、上記のパラメータを各ＵＥタイプにとって有益な方法で適合させるようネットワークノードに要求することができる。ＵＥタイプは、ＵＥのＩＭＥＩおよび／またはＩＭＥＩＳＶを、さまざまなＵＥタイプのＩＭＥＩおよび／またはＩＭＥＩＳＶを備えるデータベースと比較することによって識別されてもよい。データベースは、ＵＥを識別する方法に応じて、ネットワークノードまたはコアネットワークに格納されてもよい。
【００９１】
本明細書におけるさらなる実施形態において、機能のパラメータは、ＵＥの移動の速度に基づいて適合されてもよい。指示は、ＵＥが、ＵＥの速度に応じてＤＬにさらに多くまたはより少ない送信済みＣＲＳが必要となり得ることを示している。ＵＥの速度は、たとえばｅＮｏｄｅＢのような、ネットワークによってアップリンクで実行されるドップラー推定によって決定されてもよく、ＤＲＸ非アクティビティタイマ長さ、ＤＲＸオンデュレーション周期性および長さ、および／またはＴＡＣ／ＤＬデータ送信周期性のような、本明細書における方法のパラメータを変更するための入力として使用されてもよい。パラメータは、より大きいドップラー、つまりＵＥのより高い速度が、ＣＲＳを読み取るより多くの機会をＵＥにもたらし、一方低いドップラー推定、つまりＵＥの低い速度が、その逆の状態をもたらすように、適合されてもよい。
【００９２】
本明細書における第２の態様によれば、第２のセルが識別される場合、この第２のセルはいずれのＵＥをもアクティブにサービングしておらず、ＩＤＬＥモードでサービングしていると称されることもあるが、ネットワークノードは、第２のセルで送信されるＣＲＳに低減ＣＲＳ帯域幅モードを適用する。低減帯域幅モードにおいて、帯域幅は、第１の帯域幅モードに関連して低減されている。
【００９３】
もう１つの実施形態において、ネットワークノードが、セルはＩＤＬＥモードでサービングしているのみであると識別する場合、これらのページングオケージョンのサブフレームを全ＣＲＳ帯域幅で送信しながら、ページングの頻度は低減されてもよい。本明細書における一部のさらなる実施形態において、周囲のサブフレームの一部、たとえば前のサブフレームまたは後続のサブフレームはまた、全ＣＲＳ帯域幅で送信されてもよい。全ＣＲＳ帯域幅で送信されるサブフレームの量を最小化するため、ページングを有する各無線フレームに１つのページングオケージョンのみがあってもよい。このページングオケージョンは、サブフレーム９にあってもよい。サブフレーム９および０は、ページングを搬送する無線フレームでのみ全帯域幅で送信されてもよく、これによりアイドルモードのモビリティを改善する。さらに、ＳＩＢを備えるすべてのサブフレームは、ＵＥがそれらを聴取できるようにするため、全ＣＲＳ帯域幅で送信されてもよい。サブフレーム９の後続または先行するサブフレームはまた、全帯域幅で送信されてもよい。
【００９４】
図４に関連して上記で説明されたＣＲＳの送信を管理するための方法アクションを実行するため、ネットワークノード１１０は、図５に示される以下の配列を備えることができる。前述のように、ネットワークノード１１０は、１つまたは複数のセルを操作し、第１の帯域幅モードでＣＲＳを送信するように通常は構成される。
【００９５】
ネットワークノード１１０は、ＵＥ１２０と通信するための無線回路４０１、その他のネットワークノードと通信するための通信回路４０２、および処理モジュール４０３を備える。通信回路４０２は、たとえばＸ２インターフェイスであってもよい。
【００９６】
ネットワークノード１１０は、セル１３０、１３１、１３２が、接続済みＵＥのセットと称されることもあるＵＥのセット１２１をアクティブにサービングしているかどうかを識別するように構成された、たとえば識別モジュール４０４を用いて、そのように構成される。ＵＥのセット１２１は、セルからの送信を受信するために、ネットワークノード１１０によって、スケジュール解除されてもよい。ネットワークノード１１０は、第１のセルがＵＥのセット１２１をアクティブにサービングすると識別される場合、第１の帯域幅モードに関連して第１のセル１３０でＣＲＳの低減ＣＲＳ帯域幅モードを適用するように、さらに構成されるか、またはそのように構成された帯域幅調整モジュール４０５を備える。
【００９７】
ネットワークノード１１０は、ＵＥ１２０のオンデュレーション中に送信されるサブフレームのような、ネットワークノード１１０がシステム情報、ページングもしくはランダムアクセス応答メッセージを送信するか、またはＵＥ１２０が測定を実行すると仮定するサブフレームの場合を除いて、任意のサブフレームで送信されるＣＲＳの低減ＣＲＳ帯域幅モードを適用するようにさらに構成された、たとえば帯域幅調整モジュール４０５を用いて、そのようにさらに構成されてもよい。この実施形態において、ネットワークノード１１０は、ＵＥ１２０のオンデュレーション中に送信されるサブフレームのような、ネットワークノード１１０がシステム情報、ページングもしくはランダムアクセス応答メッセージを送信するか、またはＵＥ１２０が測定を実行すると仮定するサブフレームで、サブフレームの全帯域幅を介してＣＲＳを送信するようにさらに構成された、たとえば帯域幅調整モジュール４０５を用いて、そのようにさらに構成されてもよい。
【００９８】
本明細書におけるもう１つの実施形態において、ネットワークノード１１０は、ＵＥ１２０のオンデュレーション中に送信されるサブフレームのような、ネットワークノード１１０がシステム情報、ページングもしくはランダムアクセス応答メッセージを送信するか、またはＵＥ１２０が測定を実行すると仮定するサブフレームの第１のＯＦＤＭシンボルの場合を除いて、任意のサブフレームで送信されるＣＲＳの低減ＣＲＳ帯域幅モードを適用するようにさらに構成された、たとえば帯域幅調整モジュール４０５を用いて、そのようにさらに構成されてもよい。この実施形態において、ネットワークノード１１０は、ＵＥ１２０のオンデュレーション中に送信されるサブフレームのような、ネットワークノード１１０がシステム情報、ページングもしくはランダムアクセス応答メッセージを送信するか、またはＵＥ１２０が測定を実行すると仮定するサブフレームの第１のＯＦＤＭシンボルで全帯域幅を介してＣＲＳを送信するように、さらに構成された、たとえば帯域幅調整モジュール４０５を用いて、そのようにさらに構成されてもよい。
【００９９】
ネットワークノード１１０は、ＵＥ１２０のオンデュレーション中に送信されるサブフレームのような、ネットワークノード１１０がシステム情報、ページングもしくはランダムアクセス応答メッセージを送信するか、またはＵＥ１２０が測定を実行すると仮定するサブフレームで送信に使用されるＰＲＢにおいてのみＣＲＳを送信するようにさらに構成された、たとえば帯域幅調整モジュール４０５を用いて、そのようにさらに構成されてもよい。
【０１００】
本明細書における実施形態において、ネットワークノード１１０は、ＰＤＣＣＨの共通検索スペースにマップされるＲＥに隣接するＲＥにおいてのみＣＲＳを送信するようにさらに構成された、たとえば帯域幅調整モジュール４０５を用いて、そのようにさらに構成されてもよい。共通検索スペースは、すべてのＵＥ１２０に共通である制御情報を送信するためにネットワークノード１１０によって使用されるＲＥを備える。
【０１０１】
ネットワークノード１１０は、セル内のすべての接続済みＵＥにメッセージを送信するように構成された、たとえば送信モジュール４０８を用いて、そのようにさらに構成されてもよく、このメッセージは間欠受信（ＤＲＸ）コマンドを備えることができる。ＤＲＸコマンドは、接続済みＵＥのＤＲＸパターンを指示することができ、ＤＲＸパターンのオンデュレーションは、ＵＥ１２０の間でアライメントされてもよい。オンデュレーションは、システム情報ブロック（ＳＩＢ）を含む１つまたは複数のサブフレームの送信とさらにアライメントされてもよい。ネットワークノードは、オンデュレーション中にセルで送信されないサブフレームで第２のＣＲＳ帯域幅モードを適用するようにさらに構成されてもよい。第２の帯域幅モードにおいて、帯域幅は、第１の帯域幅モードに関連して低減されている。
【０１０２】
送信モジュール４０８は、ネットワークノード１１０内の無線回路４０１に含まれてもよい。
【０１０３】
帯域幅モード間の不必要な切り替えを低減するために、ネットワークノード１１０は、ヒステリシス関数を使用してＣＲＳ帯域幅を低減および／または増大するようにさらに構成された帯域幅調整ユニット４０５を備えるようにさらに構成されてもよいか、備えることができる。ヒステリシス関数を使用することにより、ネットワークノード１１０は、接続済みＵＥ１２０の数が変化すると直ちに帯域幅モードを切り替えない場合もあるが、セル内の帯域幅モードの変化が生じた後特定の時間にわたり１つの帯域幅モードに留まる。
【０１０４】
本明細書におけるさらなる実施形態において、ネットワークノード１１０は、ＤＬデータを特定の周期性で接続済みモードで各ＵＥに送信するようにさらに構成された、たとえば帯域幅調整モジュール４０５を用いて、そのようにさらに構成されてもよい。これにより、ＲＳＲＰ、ＲＳＲＱ、またはＲＳＳＩのような、ＵＥによって実行される測定の安定性の増大がもたらされてもよい。ＤＬデータは、ＵＥのオンデュレーション時間に対応する期間中に送信されてもよい。ＤＬデータの好ましい周期性が約２秒であることをテストが示しており、つまり約２秒ごとにＤＬデータがＵＥに送信される。周期的に送信されるＤＬデータは、任意のＤＬデータであってもよい。１つの実施形態において、タイミングアドバンスコマンド（ＴＡＣ）は、周期的ＤＬデータとして送信される。ＣＲＳは、ＤＬデータの送信中に全帯域幅モードで送信され、それによりＣＲＳは、ＤＬ送信中およびその後の、ＤＲＸ非アクティビティ時間と称されることもある、非アクティビティ時間中にＵＥに提供される。
【０１０５】
本明細書におけるさらなる実施形態において、ネットワークノード１１０は、接続済みＵＥの間で周期的ＤＬデータ送信をアライメントするようにさらに構成された、たとえば帯域幅調整モジュール４０５を用いて、そのようにさらに構成されてもよい。３ＧＰＰ  ＴＳ  ３６．３２１  ｖ．９．６．０に規定されているように、各ＤＬ送信はＤＲＸ非アクティビティタイマを開始するので、ＣＲＳは、非アクティビティ期間の継続時間中に各ＵＥに全帯域幅モードで送信される。接続済みＵＥの間で周期的ＤＬデータ送信をアライメントすることにより、全スペクトルＣＲＳが送信される必要のあるサブフレームの数が低減される。これは、各ＥＵのＤＲＸ非アクティビティタイマ中に送信される全帯域幅ＣＲＳが時間で一致し、したがってＣＲＳがミュートされ得るサブフレームの数が最大化されることを確認することによって、多数のユーザが接続される場合にゲインを改善する。これにより、セルのパフォーマンスはさらに改善され得る。
【０１０６】
本明細書におけるさらなる実施形態において、ネットワークノード１１０は、非アクティビティの特定の時間後に接続済みＵＥを解放して、ＵＥにＩＤＬＥモードに入るよう強制する非アクティビティタイマを開始するように構成された、たとえば帯域幅調整モジュール４０５を用いて、そのように構成されてもよい。この非アクティビティタイマは、可変であってもよい。本明細書において説明される方法にとって、接続済みＵＥのＣＲＳ帯域幅を低減するための方法がアクティブである場合に可能な限り少ない接続済みＵＥを有することが、有益である。したがって、セル内の接続済みＵＥのしきい値が、規定されてもよい。接続済みＵＥの合計数がしきい値を下回る場合、接続済みＵＥの非アクティビティタイマの継続時間は、セル内の接続済みＵＥの合計数がしきい値を超える場合の非アクティビティタイマの継続時間と比較して、低減される。これにより、接続済みＵＥはより迅速に解放されるので、ＣＲＳの送信を管理するための方法がアクティブである場合に、接続済みユーザの数を最少に低減する。低減された非アクティビティタイマは、たとえば、通常の非アクティビティタイマの約１０秒と比較して、約４秒であってもよい。
【０１０７】
本明細書におけるさらなる実施形態において、ネットワークノード１１０は、ＤＲＸ非アクティビティタイマ長さ、ＤＲＸオンデュレーション周期性および長さ、および／またはＴＡＣ／ＤＬデータ送信周期性のような、本明細書において説明される方法のパラメータを、ＵＥのさまざまなタイプに従って、適合させるかまたは調整するようにさらに構成された、たとえば帯域幅調整モジュール４０５を用いて、そのように構成されてもよい。ネットワークノード１１０は、コアネットワークノードからネットワークノード１１０によって受信され得る、ＵＥのＩＭＥＩに基づいて異なるＵＥタイプを識別／区別するようにさらに構成された、たとえば識別モジュール４０４を用いて、そのようにさらに構成されてもよい。
【０１０８】
ネットワークノード１１０は、ＵＥのＩＭＥＩに基づいてコアネットワークノードによって識別された受信したＵＥブランド／ＵＥタイプに基づいて方法のパラメータを適合させるようにさらに構成された、たとえば帯域幅調整モジュール４０５を用いて、そのようにさらに構成されてもよい。ネットワークノード１１０は、ＵＥタイプを識別するために使用され得る、たとえばメディアアクセス制御（ＭＡＣ）、無線リンク制御（ＲＬＣ）、パケットデータコンバージェンスプロトコル（ＰＤＣＰ）、またはＲＲＣレベルで、専有プロトコルを確立するようにさらに構成された、たとえば帯域幅調整モジュール４０５を用いて、そのようにさらに構成されてもよい。ＵＥの識別に基づいて、ネットワークノード１１０は、上記のパラメータを各ＵＥタイプにとって有益な方法で適合させるようにさらに構成された、たとえば帯域幅調整モジュール４０５を用いて、そのようにさらに構成されてもよい。
【０１０９】
本明細書におけるさらなる実施形態において、ネットワークノード１１０は、ＵＥの移動の速度に基づいて方法のパラメータを適合させるようにさらに構成された、たとえば帯域幅調整モジュール４０５を用いて、そのようにさらに構成されてもよい。指示は、ＵＥが、ＵＥの速度に応じてＤＬにさらに多くまたはより少ない送信済みＣＲＳが必要となり得ることを示している。ネットワークノード１１０は、ＵＥの速度を決定するためにＵＬでドップラー推定を実行するようにさらに構成された、たとえば帯域幅調整モジュール４０５を用いて、そのようにさらに構成されてもよい。ネットワークノード１１０は、ドップラー推定に基づいて、ＤＲＸ非アクティビティタイマ長さ、ＤＲＸ  オンデュレーション周期性および長さ、および／またはＴＡＣ／ＤＬデータ送信周期性のような、本明細書における方法のパラメータを修正するようにさらに構成された、たとえば帯域幅調整モジュール４０５を用いて、そのようにさらに構成されてもよい。パラメータは、より大きいドップラー、つまりＵＥ１２０のより高い速度が、ＣＲＳを読み取るより多くの機会をＵＥ１２０にもたらし、一方低いドップラー推定、つまりＵＥ１２０の低い速度が、その逆の状態をもたらすように、適合されてもよい。
【０１１０】
さらなる実施形態において、ネットワークノード１１０は、ＵＥ１２０のＩＭＥＩまたはＵＥ１２０の識別されたタイプをコアネットワークノード１４０から受信するようにさらに構成された、たとえば受信モジュール４０７を用いて、そのようにさらに構成されてもよい。受信モジュールは、通信回路４０２に含まれてもよい。
【０１１１】
ＣＲＳの送信を管理するための本明細書における実施形態は、本明細書における実施形態の機能およびアクションを実行するためのコンピュータプログラムコードと共に、図５に示されるネットワークノード１１０内の処理モジュール４０３のような１つまたは複数のプロセッサを通じて実施されてもよい。前述のプログラムコードはまた、たとえば、ネットワークノード１１０にロードされる場合、本明細書における実施形態を実行するためのコンピュータプログラムコードを搬送するデータキャリアの形態をとる、コンピュータプログラム製品として提供されてもよい。１つのそのようなキャリアは、ＣＤ  ＲＯＭディスクの形態であってもよい。しかし、メモリスティックのようなその他のデータキャリアでも実現可能である。さらに、コンピュータプログラムコードは、サーバ上で純プログラムコードとして提供されてもよく、ネットワークノード１１０および／またはコアネットワークノードにダウンロードされてもよい。
【０１１２】
ネットワークノード１１０は、１つまたは複数のメモリユニットを備えるメモリ４０６をさらに備えることができる。メモリ４０６は、取得された情報、測定、データ、構成、スケジューリング、およびアプリケーションを格納するために使用されて、ネットワークノード１１０において実行されるとき本明細書における方法を実行するように配列される。
【０１１３】
図６ａおよび図６ｂは、上記で説明された方法の２つの実施形態によるＤＲＸおよび帯域幅モードのスケジューリング図を開示する。セル評価または最善セル評価のようなモビリティ測定を破損するなど、低減帯域モードが悪影響を及ぼすことを回避するため、ＤＲＸパターンのオンデュレーション中に送信されるサブフレームまたはシステム情報が送信されるサブフレームは、全帯域幅モードと称されることもある第１の帯域幅モードで送信される。
【０１１４】
図６ａは、ＣＲＳが、オンデュレーションのサブフレーム周囲に配列された合計１３個のサブフレームにわたり全帯域幅を介して送信される方法の実施形態を開示する。１３個のサブフレームのうちの４つは、各オンデュレーションの２つのサブフレームの前に位置し、サブフレームのうちの７つは、各オンデュレーションの後に位置する。低減帯域幅モードは、無線フレームの残りのサブフレームに適用される。一部のレガシーＵＥが、他のＵＥと同様に正確には測定を実行せず、オンデュレーションの直前または直後に測定を開始することがあることを、テストは示している。オンデュレーションの周囲に位置する複数のサブフレーム内の通常帯域幅モードでＣＲＳを送信することにより、測定が厳密にオンデュレーション中に実行されない場合であっても、チャネル推定を実行するために、そのようなあまり正確ではないＵＥがＣＲＳを測定できることが保証されてもよい。
【０１１５】
図６ｂは、ＣＲＳが全帯域幅を介して送信されるサブフレームの数が低減されている方法のさらなる実施形態を示す。この実施形態において、通常帯域幅モードは、オンデュレーション中に送信されるサブフレームまたはシステム情報が送信されるサブフレームに先行する１つのサブフレームのみに適用される。これにより、ＣＲＳが低減帯域幅で送信され得るサブフレームの数は増大し、ネットワークのパフォーマンスをさらに向上させる。この実施形態は、セルに接続されたＵＥ１２０が高い精度の測定をもたらす場合に使用されてもよい。
【０１１６】
ネットワークノード１１０は、セルに接続されたＵＥ１２０のタイプに基づいて、ＣＲＳが全帯域幅を介して送信されるサブフレームの数を適合させることができる。ＵＥ１２０のタイプは、ＩＭＥＩまたはＵＥ１２０のブランド／タイプのような識別子に基づいて識別されてもよい。
【０１１７】
図３に関連して上記で説明されたＣＲＳの送信を管理するための方法アクションの一部は、コアネットワークノード１４０によって実行されてもよい。コアネットワークノード１４０は、図７に示される以下の配列を備えることができる。コアネットワークノード１４０は、その他のネットワークノードと通信するための通信回路６０１、および処理モジュール６０２を備えることができる。通信回路６０１は、たとえばＸ２インターフェイスであってもよい。
【０１１８】
コアネットワークノード１４０は、ＵＥのＩＭＥＩに基づいて異なるＵＥブランド／タイプを識別／区別するようにさらに構成された、たとえば識別モジュール６０３を用いて、そのように構成されてもよい。識別モジュール６０３は、処理ユニット６０２に含まれてもよい。
【０１１９】
コアネットワークノード１４０は、ブランド／タイプの識別をネットワークノードに送信するようにさらに構成された、たとえば送信モジュール６０４を用いて、そのようにさらに構成されてもよい。識別は、コアネットワークノード１４０によって識別されたＵＥのＩＭＥＩまたはＵＥのブランド／タイプであってもよい。送信モジュール６０４は、通信回路６０１に含まれてもよい。
【０１２０】
ＣＲＳの送信を管理するための本明細書における実施形態は、本明細書における実施形態の機能およびアクションを実行するためのコンピュータプログラムコードと共に、図７に示されるコアネットワークノード内の処理モジュール６０２のような１つまたは複数のプロセッサを通じて実施されてもよい。前述のプログラムコードはまた、たとえば、コアネットワークノードにロードされる場合、本明細書における実施形態を実行するためのコンピュータプログラムコードを搬送するデータキャリアの形態をとる、コンピュータプログラム製品として提供されてもよい。１つのそのようなキャリアは、ＣＤ  ＲＯＭディスクの形態であってもよい。しかし、メモリスティックのようなその他のデータキャリアでも実現可能である。さらに、コンピュータプログラムコードは、サーバ上で純プログラムコードとして提供されてもよく、ネットワークノード１１０および／またはコアネットワークノードにダウンロードされてもよい。
【０１２１】
ネットワークノード１１０は、１つまたは複数のメモリユニットを備えるメモリ４０６をさらに備えることができる。メモリ４０６は、取得された情報、測定、データ、構成、スケジューリング、およびアプリケーションを格納するために使用されて、ネットワークノード１１０において実行されるとき本明細書における方法を実行するように配列される。
【０１２２】
コアネットワークノードは、１つまたは複数のメモリユニットを備えるメモリ６０５をさらに備えることができる。メモリ６０５は、取得された情報、測定、データ、構成、スケジューリング、およびアプリケーションを格納するために使用されて、コアネットワークノードにおいて実行されるとき本明細書における方法を実行するように配列される。
【０１２３】
当業者であればまた、上記で説明された識別モジュール４０４、６０３および帯域幅調整モジュール４０５が、アナログおよびデジタル回路の組み合わせ、および／または、上記で説明された処理ユニット４０３、６０２のような１つまたは複数のプロセッサによって実行されるときに、たとえばメモリ４０６、６０５に格納された、ソフトウェアおよび／またはファームウェアで構成される１つまたは複数のプロセッサを示すことができることも理解するであろう。これらのプロセッサの１つまたは複数、およびその他のデジタルハードウェアは、単一の特定用途向け集積回路（ＡＳＩＣ）、または複数のプロセッサに含まれてもよく、さまざまなデジタルハードウェアは、個別にパッケージされるかシステムオンチップ（ＳｏＣ）にアセンブルされるかにかかわらず、複数の別個のコンポーネント間で分散されてもよい。
【０１２４】
「備える（ｃｏｍｐｒｉｓｅ）」または「備えている（ｃｏｍｐｒｉｓｉｎｇ）」という語を使用する場合、これは非限定的、つまり「で少なくとも構成される（ｃｏｎｓｉｓｔ  ａｔ  ｌｅａｓｔ  ｏｆ）」を意味すると解釈されるものとする。
【０１２５】
本明細書において「セット（ｓｅｔ）」という語を使用する場合、「１つまたは複数（ｏｎｅ  ｏｒ  ｍｏｒｅ）」を意味すると解釈されるものとする。
【０１２６】
本明細書における実施形態は、上記で説明された好ましい実施形態に限定されることはない。さまざまな代替、変更、および均等物が使用されてもよい。したがって、上記の実施形態は、本発明の範囲を限定するものと解釈されるべきではなく、本発明の範囲は添付の特許請求の範囲によって定められる。
【図１】
0006426294.tif 000002
【図２】
0006426294.tif 000003
【図３】
0006426294.tif 000004
【図４】
0006426294.tif 000005
【図５】
0006426294.tif 000006
【図６ａ】
0006426294.tif 000007
【図６ｂ】
0006426294.tif 000008
【図７】
0006426294.tif 000009